(57)【特許請求の範囲】
【請求項１】
基準電極と、送信電極及び変調部、受信電極及び復調部と、送受信を切替える機能を有してなる送受信切替部とを有して第１人体に装着する第１データ通信装置と、
基準電極と、受信電極及び復調部、送信電極及び変調部と、送受信を切替える機能を有してなる送受信切替部とを有して第２人体に装着する第２データ通信装置とを備えてなり、
前記第１データ通信装置及び前記第２データ通信装置には、ともに、前記第１人体と前記第２人体が接触したことを検知する機能を有してなる接触検知部と、発生させた乱数に応じて前記第１データ通信装置及び前記第２データ通信装置の前記送受信切替部の送受信を自動的に切替える機能を有してなる乱数発生部とを設けて、
前記第１人体と前記第２人体が接触したことを前記接触検知部が検知すると、前記乱数発生部が前記乱数の値に応じて送受信を決めるようにし、前記第１データ通信装置及び前記第２データ通信装置の前記送受信切替部の送受信切替により、前記第１データ通信装置と前記第２通信装置との間で双方向に通信データを送受信することを特徴とするデータ通信システム。
【請求項２】
前記基準電極と、前記送信電極及び前記受信電極は、人体に接触しており、前記第１データ通信装置及び前記第２データ通信装置は、前記人体の手首又はその近傍に装着可能であって、前記基準電極を、前記人体の指先側に配置し、前記送信電極及び前記受信電極を、前記人体の指先側とは反対側に配置することを特徴とする請求項１に記載のデータ通信システム。
【請求項３】
前記基準電極は、人体に接触しており、前記送信電極及び前記受信電極は、人体と接触しておらず、前記第１データ通信装置及び前記第２データ通信装置は、前記人体の手首又はその近傍に装着可能であって、
一方の人体が装着したデータ通信装置の前記送信電極と、他方の人体が装着したデータ通信装置の前記受信電極とは、前記送信電極と前記受信電極との間を、遮蔽物を設けないように配置することを特徴とする請求項１に記載のデータ通信システム。
【請求項４】
前記第１データ通信装置及び前記第２データ通信装置には、個人固有のデータを記憶するデータ記憶部を設けて、前記個人固有のデータを通信データとして用いることを特徴とする請求項１乃至請求項３のいずれかに記載のデータ通信システム。
【請求項５】
前記個人固有のデータは、人体に関する生体情報であることを特徴とする請求項４に記載のデータ通信システム。
【請求項６】
前記個人固有のデータは、住所や連絡先等の名刺情報であることを特徴とする請求項４に記載のデータ通信システム。
【請求項７】
前記第１データ通信装置及び前記第２データ通信装置には、各々のデータ通信装置の有する前記個人固有のデータに基づいて相性診断を行う相性診断部と、該相性診断部からの結果を提示する相性診断提示部を設けてなることを特徴とする請求項４乃至請求項６のいずれかに記載のデータ通信システム。
【請求項８】
前記第１データ通信装置及び前記第２データ通信装置には、人体の心拍数を計測する心拍数計測部を設けてなり、前記相性診断部は、前記心拍数計測部での計測結果を考慮して相性診断を行うことを特徴とする請求項７に記載のデータ通信システム。
【請求項９】
前記第１データ通信装置及び前記第２データ通信装置には、人体表面のインピーダンスを計測するインピーダンス計測部を設けてなり、前記相性診断部は、前記インピーダンス計測部での計測結果を考慮して相性診断を行うことを特徴とする請求項７に記載のデータ通信システム。
【請求項１０】
少なくとも１つの基準電極と、受信電極と、送信電極と、復調部と、変調部と、送受信を切替える機能を有してなる送受信切替部と、人体が接触したことを検知する機能を有してなる接触検知部と、発生させた乱数に応じて送受信を自動的に切替える機能を有してなる乱数発生部とを備えて人体に装着し、
人体が他の人体と接触したことを前記接触検知部が検知すると、前記乱数発生部が前記乱数の値に応じて送受信を決めるようにしたことを特徴とするデータ通信装置。
【請求項１１】
前記基準電極と、前記送信電極及び前記受信電極は、前記人体に接触しており、前記人体の手首又はその近傍に装着可能であって、前記基準電極を、前記人体の指先側に配置し、前記送信電極及び前記受信電極を、前記人体の指先側とは反対側に配置することを特徴とする請求項１０に記載のデータ通信装置。
【発明の詳細な説明】
【０００１】
【発明の属する技術分野】
本発明は、２つの人体間でデータ通信を行なうためのデータ通信システム及びデータ通信装置に関する。
【０００２】
【従来の技術】
従来、人体が携帯するデータ送信装置とその近くに設置されるデータ受信装置との間のデータ通信方法としては、例えば、特開平１０−２２９３５７号公報に記載のものがある。
【０００３】
この公報にあっては、人体に装着したデータ送信装置から導体である人体を伝送経路としてデータ受信装置に対して通信データを送信するデータ通信システムが開示されている。
【０００４】
【発明が解決しようとする課題】
ところが、上述の特開平１０−２２９３５７号公報に開示されているデータ通信システムにあっては、人体が携帯するデータ送信装置とその近くに設置されるデータ受信装置との間のデータ通信を行うシステムであり、人体が携帯するデータ送信装置から送信される通信データはデータ受信装置にあるため、その他の人体がこの通信データを取得する場合には、その他の人体はデータ受信装置のある場所にわざわざ赴く必要があるという問題があった。
【０００５】
本発明は、上記の問題点に艦みてなされたものであり、その目的とするところは、２つの人体の各々に装着したデータ通信装置間での直接的なデータ通信を可能にするデータ通信システム及びデータ通信装置を提供することにある。
【０００６】
【課題を解決するための手段】
請求項１記載のデータ通信システムは、基準電極３１と、送信電極３２及び変調部３３と、受信電極３４及び復調部３５と、送受信を切替える機能を有してなる送受信切替部３６を有して第１人体１に装着する第１データ通信装置３と、基準電極４１と、受信電極４４及び復調部４５と、送信電極４２及び変調部４３と、送受信を切替える機能を有してなる送受信切替部４６を有して第２人体２に装着する第２データ通信装置４とを備えてなり、前記第１人体１と前記第２人体２とが接触することで、前記送受信切替部３６及び前記送受信切替部４６の送受信切替により、前記第１データ通信装置３と前記第２データ通信装置４との間で双方向に通信データ５を送受信する。
【０００７】
【０００８】
【０００９】
ここで、前記第１データ通信装置３及び前記第２データ通信装置４には、ともに、前記第１人体１と前記第２人体２が接触したことを検知する機能を有してなる接触検知部と、発生させた乱数に応じて前記送受信切替部３６及び前記送受信切替部４６の送受信を自動的に切替える機能を有してなる乱数発生部とを設けて、前記第１人体１と前記第２人体２が接触したことを前記接触検知部が検知すると、前記乱数発生部が前記乱数の値に応じて送受信を決めるようにしたことを特徴とするものである。
【００１０】
また、請求項２記載のデータ通信システムは、請求項１に記載の発明において、前記基準電極と、前記送信電極及び前記受信電極は、人体に接触しており、前記第１データ通信装置３及び前記第２データ通信装置４は、前記人体の手首又はその近傍に装着可能であって、前記基準電極を、前記人体の指先側に配置し、前記送信電極及び前記受信電極を、前記人体の指先側とは反対側に配置することを特徴とするものである。
【００１１】
また、請求項３記載のデータ通信システムは、請求項１に記載の発明において、前記基準電極は、人体に接触しており、前記送信電極及び前記受信電極は、人体と接触しておらず、前記第１データ通信装置３及び前記第２データ通信装置４は、前記人体の手首又はその近傍に装着可能であって、一方の人体が装着したデータ通信装置の前記送信電極と、他方の人体が装着したデータ通信装置の前記受信電極とは、前記送信電極と前記受信電極との間を、遮蔽物を設けないように配置することを特徴とするものである。
【００１２】
また、請求項４記載のデータ通信システムは、請求項１乃至請求項３のいずれかに記載の発明において、前記第１データ通信装置３及び前記第２データ通信装置４には、個人固有のデータを記憶するデータ記憶部を設けて、前記個人固有のデータを通信データとして用いることを特徴とするものである。
【００１３】
また、請求項５記載のデータ通信システムは、請求項４に記載の発明において、前記個人固有のデータは、人体に関する生体情報であることを特徴とするものである。
【００１４】
また、請求項６記載のデータ通信システムは、請求項４に記載の発明において、前記個人固有のデータは、住所や連絡先等の名刺情報であることを特徴とするものである。
【００１５】
また、請求項７記載のデータ通信システムは、請求項４乃至請求項６のいずれかに記載の発明において、前記第１データ通信装置３及び前記第２データ通信装置４には、各々のデータ通信装置の有する前記個人固有のデータに基づいて相性診断を行う相性診断部と、該相性診断部からの結果を提示する相性診断提示を設けてなることを特徴とするものである。
【００１６】
また、請求項８記載のデータ通信システムは、請求項７に記載の発明において、前記第１データ通信装置３及び前記第２データ通信装置４には、人体の心拍数を計測する心拍数計測部を設けてなり、前記相性診断部は、前記心拍数計測部での計測結果を考慮して相性診断を行うことを特徴とするものである。
【００１７】
また、請求項９記載のデータ通信システムは、請求項７に記載の発明において、前記第１データ通信装置３及び前記第２データ通信装置４には、人体表面のインピーダンスを計測するインピーダンス計測部を設けてなり、前記相性診断部は、前記インピーダンス計測部での計測結果を考慮して相性診断を行うことを特徴とするものである。
【００１８】
また、請求項１０記載のデータ通信装置は、少なくとも１つの基準電極と、受信電極と、送信電極と、復調部と、変調部と、送受信を切替える機能を有してなる送受信切替部と、人体が接触したことを検知する機能を有してなる接触検知部と、発生させた乱数に応じて送受信を自動的に切替える機能を有してなる乱数発生部とを備えて人体に装着し、人体が他の人体と接触したことを前記接触検知部が検知すると、前記乱数発生部が前記乱数の値に応じて送受信を決めるようにしたことを特徴とするものである。
【００１９】
また、請求項１１記載のデータ通信装置は、請求項１０に記載の発明において、前記基準電極と、前記送信電極及び前記受信電極は、前記人体に接触しており、前記人体の手首又はその近傍に装着可能であって、前記基準電極を、前記人体の指先側に配置し、前記送信電極及び前記受信電極を、前記人体の指先側とは反対側に配置することを特徴とするものである。
【００２０】
【発明の実施の形態】
以下に、本発明の第１参考例を図１乃至図３に基づいて説明する。図１は、本発明の第１参考例に係るデータ通信システムを示す概略図であり、図２は、データ通信装置を示すブロック図であり、図３は、電極配置を示す概略図である。
【００２１】
図１に示すように、データ通信システムは、人体を伝送経路とする人体１に装着された第１データ通信装置３と、人体２に装着された第２データ通信装置４とを備えてなる構成であり、人体１と人体２とが握手等を行い接触することで、第１データ通信装置３から第２データ通信装置４に通信データ５が送信される構成である。
【００２２】
図２（ａ）及び図３に示すように、第１データ通信装置３は、人体１に接するように配設された基準電極３１及び人体１に接するように配設された送信電極３２と、交流信号を生成する発振部（図示せず）と、送信する通信データ５に基づいて交流信号を振幅変調する変調部３３と、変調部３３により変調された変調信号に対応する電圧を基準電極３１と送信電極３２との間に印可する電圧印可部（図示せず）とを備え、データ送信を行う機能を有してなる。
【００２３】
また、図２（ｂ）及び図３に示すように、第２データ通信装置４は、人体２に接するように配設された基準電極４１と、第１データ通信装置３から出力される通信データ５を人体２を介して受信する人体２に接するように配設された受信電極４４と、基準電極４１と受信電極４４との間の電圧を検出する電圧検出部（図示せず）と、該電圧検出部で入力される通信データ５を復調する復調部４５とを備え、データ受信を行う機能を有してなる。
【００２４】
なお、図３に示すように、第１データ通信装置３の送信電極３２は、人体１の指先側に配置され、基準電極３１は、人体１の指先とは反対に配置され、第２データ通信装置４の受信電極４４は、人体２の指先側に配置され、基準電極４１は、人体２の指先とは反対に配置されている。
【００２５】
ここで、第１参考例においては、第１データ通信装置３及び第２データ通信装置４は、図１及び図３においては、手首付近に装着されているが、その設置場所は特に限定されるものではないが、第１データ通信装置３の送信電極３２と第２データ通信装置４の受信電極４４の電極間距離が最短になるように電極配置するのが好ましい。
【００２６】
なお、通信データ５は、第１データ通信装置３が、マイコン（図示せず）やＲＯＭ（図示せず）を備える場合には、そのマイコンやＲＯＭから出力してもよいし、第１データ通信装置３にセンサ（図示せず）を備え、検出したセンサデータを送信するようにしてもよく、第１参考例においては、その内容は特に限定しないが、種々の内容のデータであってよい。
【００２７】
かかるデータ通信システムにあっては、第１データ通信装置３を装着した人体１と第２データ通信装置４を装着した人体２とが接触することで、人体１及び人体２を通信データ５の伝送経路として利用するので、第１データ通信装置３から第２データ通信装置４へデータ通信を行うことができるデータ通信システムを提供することができる。
【００２８】
なお、第２データ通信装置４は、第１データ通信装置３からのデータ通信が完了したことを、音声情報や、視覚情報や、嗅覚情報及び刺激情報等で人体２に提示する提示部（図示せず）を有していてもよいし、第１データ通信装置３も同様の提示部（図示せず）が有していても勿論よい。
【００２９】
ここで、第１参考例においては、第１データ通信装置３の送信電極３２及び第２データ通信装置４の受信電極４４が、人体に接している実施形態であるが、その他の電極配置を、本発明の第２参考例として以下に示す。なお、第２参考例のデータ通信装置のブロック図は、図２に示した第１参考例のものと同様であるため、共通部分の説明は省略する。
【００３０】
本発明の第２参考例を図４及び図５に基づいて説明する。図４は、本発明の第２参考例に係るデータ通信システムにおける電極配置を示す概略図であり、図５は、データ通信装置を示す概略図である。
【００３１】
図４に示すように、第１データ通信装置３は、基準電極３１を人体１に接するように配設し、送信電極３２を人体１に接していないように配設する構成であり、第２データ通信装置４は、基準電極４１を人体２に接するように配設し、受信電極４４を人体１に接していないように配設する構成である。人体１及び人体２が握手等によって接触すると、静電結合によって、第１データ通信装置３の送信電極３２から第２データ通信装置４の受信電極４４へと通信データ５が送信される。
【００３２】
なお、第２参考例においては、第１データ通信装置３の送信電極３２と第２データ通信装置４の受信電極４４の間には、受信量の低下を極力抑制するために、人体等の遮蔽物が入らないように配慮することが好ましい。
【００３３】
第１データ通信装置３の送信電極３２と第２データ通信装置４の受信電極４４の間に人体等の遮蔽物が入りにくい構成は、図５（ａ）に示した腕時計型のデータ通信装置で実現できる。更に、腕時計型の第１データ通信装置３及び第２データ通信装置４は、人体１及び人体２に容易に着脱することができるという特徴がある。
【００３４】
第１データ通信装置３の送信電極３２及び第２データ通信装置４の受信電極４４は、時刻表示部５５の周辺部に設けてなる構成であり、図５（ｂ）は、電極配置を示しており、人体１及び人体２が握手を行い、第１データ通信装置３の送信電極３２から第２データ通信装置４の受信電極４４へと通信データ５が送信されている状態を示している。
【００３５】
かかるデータ通信システムにあっては、第１データ通信装置３を装着した人体１と第２データ通信装置４を装着した人体２とが接触することで、人体１に接する基準電極３１と人体２に接する基準電極４１とがつながるので、静電結合によって、第１データ通信装置３から第２データ通信装置４へデータ通信を行うことができるデータ通信システムを提供することができる。
【００３６】
ここで、上述の第１参考例及び第２参考例においては、第１データ通信装置３から第２データ通信装置４へ一方向にデータ通信を行うものであるが、第１データ通信装置３と第２データ通信装置４との間で双方向のデータ通信を行うものを、本発明の第３参考例及び第１実施形態として以下に示す。なお、いずれの実施形態も第１参考例及び第２参考例との共通部分の説明は省略する。
【００３７】
本発明の第３参考例を図６乃至図９に基づいて説明する。図６は、本発明の第３参考例に係るデータ通信システムを示す概略図であり、図７及び図９は、データ通信装置を示すブロック図であり、図８は、データ通信装置を示す概略図である。
【００３８】
図６に示すように、データ通信システムは、人体１と人体２が握手等を行い接触し、人体１に装着された第１データ通信装置３と、人体２に装着された第２データ通信装置４との間で通信データ５が双方向で送受信される構成である。
【００３９】
図７（ａ）に示すように、第１データ通信装置３は、基準電極３１と、送信電極３２と、変調部３３と、受信電極３４と、復調部３５と、送受信切替部３６及び通信開始ボタン（図示せず）を備えてなる。また、図７（ｂ）に示すように、第２データ通信装置４は、基準電極４１と、送信電極４２と、変調部４３と、受信電極４４と、復調部４５と、送受信切替部４６及び通信開始ボタン（図示せず）を備えてなる。
【００４０】
ここで、送受信切替部３６及び送受信切替部４６は、各々、送受信切替ボタン                                                  ５６及び送受信切替ボタン５７を有し、人体１及び人体２は、各々、この送受信切替ボタン５６及び送受信切替ボタン５７を手動にて操作して送受信モードを切替える機能を有してなる。
【００４１】
なお、図８（ａ）に示したように、第１データ通信装置３及び第２データ通信装置４は、腕時計型のものを用いる。第１データ通信装置３の送信電極３２と受信電極３４及び、第２データ通信装置４の送信電極４２と受信電極４４は、時刻表示部５５の周辺部に設けてなる構成である。なお、第１データ通信装置３の基準電極３１は人体１に接するように配設され、送信電極３２と受信電極３４は人体１に接していないように配設された構成であり、第２データ通信装置４の基準電極４１は人体２に接するように配設され、送信電極４２と受信電極４４は人体２に接していないように配設された構成である。図８（ｂ）は、電極配置を示しており、人体１及び人体２が握手を行い、第１データ通信装置３と第２データ通信装置４との間で双方向のデータ通信が行われている状態を示している。
【００４２】
以下に、動作説明を示す。まず、人体１は第１データ通信装置３の通信開始ボタンを押し、人体２は第２データ通信装置４の通信開始ボタンを押すことでデータ通信を開始する。
【００４３】
まず、人体１が送受信切替ボタン５６を送信モードに選択し、人体２が送受信切替ボタン５７を受信モードに選択した場合の動作を示す。送受信切替ボタン５６が送信モードになると、第１データ通信装置３の変調部３３に電源が入り、送信電極３２を通じて通信データ５が送信される。そして、送受信切替ボタン５７が受信モードになると、第２データ通信装置４の復調部４５に電源が入り、受信電極４４より入力された信号は、データとして受信される。
【００４４】
次に、人体１が送受信切替ボタン５６を受信モードに選択し、人体２が送受信切替ボタン５７を送信モードに選択した場合の動作を示す。送受信切替ボタン５７が送信モードになると、第２データ通信装置４の変調部４３に電源が入り、送信電極４２を通じて通信データ５が送信される。そして、送受信切替ボタン５６が受信モードになると、第１データ通信装置３の復調部３５に電源が入り、受信電極３４より入力された信号は、データとして受信される。
【００４５】
かかるデータ通信システムにあっては、第１データ通信装置３及び第２データ通信装置４がともに送受信機能を有してなり、第１データ通信装置３を装着した人体１及び第２データ通信装置４を装着した人体２が、各々、送受信切替ボタン５６及び送受信切替ボタン５７を切替え、送受信を選択するので、第１データ通信装置３と第２データ通信装置４との間で、双方向のデータ通信を行うことができる。
【００４６】
また、後述の変調復調切替部５８及び変調復調切替部５９を設けたデータ通信装置の構成を図９に示す。変調復調切替部５８は、第１データ通信装置３に設けられ、送受信切替ボタン５６で選択する送受信切替部３６の送信モードや受信モードにあわせて、変調部３３と復調部３５との接続を切替える機能を有してなる。そのため、図７の送信電極３２と受信電極３４とを通信電極３００として共通化することができる。また、同様に、変調復調切替部５９は、第２データ通信装置４に設けられ、送受信切替ボタン５７で選択する送受信切替部４６の送信モードや受信モードにあわせて、変調部４３と復調部４５を切替える機能を有してなるため、図７の送信電極４２と受信電極４４とを通信電極４００として共通化することができる。
【００４７】
そのため、このように送信電極と受信電極とを共有化することで電極個数が減り、１つの電極面積を大きくすることができるので、通信データの受信感度も増加し、通信精度の高いデータ通信システムを提供することができる。
【００４８】
本発明の第１実施形態を図１０に基づいて説明する。図１０は、本発明の第１実施形態に係るデータ通信装置を示すブロック図である。データ通信システムを示す概略図及びデータ通信装置を示す概略図は、第３参考例の図６及び図８と共通であるため、説明は省略する。
【００４９】
図１０（ａ）に示すように、第１データ通信装置３は、図７（ａ）において、送受信切替ボタン５６を除いて、乱数発生部３９と接触検知部６０を付加したものである。また、図１０（ｂ）に示すように、第２データ通信装置４は、図７（ｂ）において、送受信切替ボタン５７を除いて、乱数発生部４９と接触検知部６１を付加したものである。
【００５０】
第１実施形態においては、人体１と人体２とが接触したことを接触検知部６０及び接触検知部６１が検知すると、乱数発生部３９及び乱数発生部４９が各々乱数を発生させる。
【００５１】
接触検知部６０及び接触検知部６１は、人体が接触したことを検出する機能を有してなり、人体１と人体２とが接触したことを検知する。
【００５２】
また、乱数発生部３９及び乱数発生部４９は、乱数を発生させ、該乱数に応じて送受信切替部３６及び送受信切替部４６の送受信モードを自動的に切替える機能を有してなる。例えば、乱数が奇数であれば送信側のデータ通信装置であるとし、乱数が偶数であれば受信側のデータ通信装置であるとするように数字を予め振り分けておき、乱数発生部３９及び乱数発生部４９の各々で発生する乱数の値を、予め振り分けられた数字に従って送受信切替部３６及び送受信切替部４６の送受信モードを切替える方法である。
【００５３】
ここで、乱数発生部３９及び乱数発生部４９で発生させた乱数が共に奇数になった場合は、第１データ通信装置３及び第２データ通信装置４は共に送信側になってしまうため、通信データ５は、復調部３５及び復調部４５が機能していないから受信電極３４及び受信電極４４に停滞する。このような場合には、例えば、送受信切替部３６及び送受信切替部４６に、受信電極３４及び受信電極４４に停滞している通信データ５を検出する機能を付加して、送受信切替部３６及び送受信切替部４６がこの通信データ５を検出すれば、乱数発生部３９及び乱数発生部４９で再度乱数を発生させ送受信側を決定する。
【００５４】
また、乱数発生部３９及び乱数発生部４９で発生させた乱数が共に偶数になった場合は、第１データ通信装置３及び第２データ通信装置４は共に受信側になっているにもかかわらず、復調部３５及び復調部４５は、通信データ５を検出できない。このような場合には、例えば、復調部３５及び復調部４５にタイマー機能を設け、所定時間経ても復調部３５及び復調部４５が通信データ５を検出できなければ、乱数発生部３９及び乱数発生部４９で再度乱数を発生させ送受信側を決定する。
【００５５】
なお、乱数の振り分けは奇数、偶数による振り分けに限ったものではなく、送信側と受信側とに適当な数字で振り分けても勿論よい。また、乱数発生部３９及び乱数発生部４９の各々で発生する乱数の値の絶対値を比較して、絶対値が大きい乱数発生部側のデータ通信装置を送信側とし、他のデータ通信装置を受信側とするような方法等、その他の比較方法を用いても勿論よい。
【００５６】
また、送信側と受信側とに振り分けられたそれぞれの乱数に、通信データ５を送受信する通信時間情報を予め付加しておき、その通信時間分だけデータ通信すると、乱数発生部３９及び乱数発生部４９が各々当初の送受信モードを、当初とは異なるモードに自動的に切替えて双方向のデータ通信を行うような構成にしておいてもよい。
【００５７】
以下に、動作説明を示す。例えば、第１データ通信装置３の接触検知部６０が、第２データ通信装置４の接触検知部６１より先に作動した場合は、接触検知部６０は、送受信切替ボタン５６を送信モードに選択し、接触検知部６１は、送受信切替ボタン５７を受信モードに選択する。この後は、第３参考例にて説明した動作と共通であるため、説明は省略するが、第１データ通信装置３から第２データ通信装置４へ通信データ５が送信される。
【００５８】
また、第２データ通信装置４の接触検知部６１が、第１データ通信装置３の接触検知部６０より先に作動した場合は、上述の動作と同様に、第２データ通信装置４から第１データ通信装置３へ通信データ５データ送信がなされる。
【００５９】
次に、第１データ通信装置３の接触検知部６０及び第２データ通信装置４の接触検知部６１が同時、あるいは略同時に作動した場合は、この作動と同時に、第１データ通信装置３の乱数発生部３９及び第２データ通信装置４の乱数発生部４９は乱数を生成し、乱数発生部３９及び乱数発生部４９の各々で発生する乱数が奇数であれば送信側のデータ通信装置であるとし、乱数が偶数であれば受信側のデータ通信装置であるとして、送受信切替部３６及び送受信切替部４６の送受信モードを切替える。
【００６０】
このようにして、第１データ通信装置３及び第２データ通信装置４のいずれか一方を送信側とし、他方を受信側にすることで、一方のデータ通信装置からもう一方のデータ通信装置に通信データ５を送信する。
【００６１】
また、送受信切替部３６及び送受信切替部４６が、通信データ５の送信に要する時間が経過すると同時に、送受信モードを自動的に切替える機能を有していても勿論よい。このような構成にあっては、データ通信の当初送信側であったデータ通信装置を、自動的に受信側のデータ通信装置に切り替え、受信側であったデータ通信装置を、自動的に送信側のデータ通信装置に切り替えることができ、双方向のデータ通信が可能となる。
【００６２】
ただし、この場合、通信データ５には、その通信データ５の送信完了に要するまでの時間情報を予め盛り込んでおき、その時間情報を判断して送受信切替部３６及び送受信切替部４６を制御する判断部（図示せず）を送受信切替部３６及び送受信切替部４６に設ける必要がある。
【００６３】
かかるデータ通信システム及びデータ通信装置にあっては、データ通信装置は送受信両方を行うことができる機能を有し、第１データ通信装置３の接触検知部６０及び第２データ通信装置４の接触検知部６１で人体１及び人体２が接触したことを検知し、乱数発生部３９及び乱数発生部４９で送受信の組合せを決定するので、第１データ通信装置３と第２データ通信装置４との間で双方向のデータ通信を自動的に開始することができる。また、データ通信装置は、送受信両方を行うことができる機能を有しているので、データ通信装置としての汎用性が向上する。
【００６４】
なお、第３参考例及び第１実施形態においては、勿論、第１データ通信装置３は、交流信号を生成する発振部（図示せず）と、変調部３３により変調された変調信号に対応する電圧を基準電極３１と送信電極３２との間に印可する電圧印可部（図示せず）と、基準電極３１と受信電極３４との間の電圧を検出する電圧検出部（図示せず）を備え、第２データ通信装置４も同様の機能を有する発振部と、電圧印可部及び電圧検出部を備えている。
【００６５】
ここで、第３参考例及び第１実施形態においては、第１データ通信装置３及び第２データ通信装置４の形状は、人体１及び人体２に装着しやすいので図８のような腕時計型のものを用いているが、形状は特にこれに限定しない。
【００６６】
また、第３参考例及び第１実施形態においては、図８（ａ）に示すように、第１データ通信装置３及び第２データ通信装置４は、基準電極が人体に接するように配設され、送信電極と受信電極が人体に接していない構成を示したが、図８（ｃ）に示すように、第１データ通信装置３及び第２データ通信装置４の基準電極と送信電極及び受信電極は、人体に接するように配設されるようなデータ通信装置であっても勿論よい。
【００６７】
また、第３参考例及び第１実施形態においては、第１参考例の第１データ通信装置３と同様に第２データ通信装置４が、マイコン（図示せず）やＲＯＭ（図示せず）を備えていても、センサ（図示せず）を備え、検出したセンサデータを送信するようにしていてもよく、通信データ５は、種々の内容であってよい。
【００６８】
ここで、上述の第１参考例乃至第３参考例、第１実施形態においては、通信データ５の内容に関しては特に限定していないが、個人固有のデータを通信データ５とした使用した実施形態を、本発明の第２実施形態乃至第６実施形態として以下に示す。ここで、第２実施形態乃至第６実施形態においては、データ通信装置に、個人固有データを記憶する機能を有してなるデータ記憶部を設けている構成である。
【００６９】
本発明の第４参考例を図１１に基づいて説明する。第４参考例は、病院において、患者から医師又は看護婦へ、患者の個人固有データ７０を一方向に送信する実施形態であり、第１参考例との共通部分の説明は、簡略のため省略する。なお、図１１は、本発明の第４参考例に係るデータ通信装置を示すブロック図である。
【００７０】
図１１（ａ）及び図１１（ｂ）に示すように、第１データ通信装置３には、個人固有データ７０を記憶する機能を有してなるデータ記憶部８０を設け、第２データ通信装置４には、個人固有データ７０を提示する機能を有してなる表示部７５を設けて構成する。
【００７１】
なお、第４参考例においては、第１データ通信装置３は、患者が装着し、第２データ通信装置４は、医師又は看護婦が装着するもので、図１に示した人体１は患者であり、人体２は医師又は看護婦である。
【００７２】
ここで、通信データ５は、個人固有データ７０であり、個人固有データ７０としては、患者の生年月日や血液型等のデータである。医師又は看護婦は、患者の体に触れることにより、患者の個人固有データ７０を簡単に入手することができる。
【００７３】
かかるデータ通信システム及びデータ通信装置にあっては、第１データ通信装置３のデータ記憶部８０に記憶している患者の個人固有データ７０を、第２データ通信装置４を装着している医師又は看護婦へのみ送信するので、病院において患者に関するデータの入力ミス等により患者に対する対処に間違いが生じるという問題に対してセキュリティ性の高いデータ通信システムを提供することができる。
【００７４】
本発明の第２実施形態を図１２に基づいて説明する。第２実施形態は、データ通信装置を装着した個人同士が、名刺情報を交換するような実施形態であり、双方向のデータ通信を行う第１実施形態との共通部分の説明は、簡略のため省略する。なお、図１２は、本発明の第２実施形態に係るデータ通信装置を示すブロック図である。
【００７５】
図１２（ａ）及び図１２（ｂ）に示すように、第１データ通信装置３には、人体１の個人固有データ７０を記憶する機能を有してなるデータ記憶部８０と、個人固有データ７０を提示する機能を有してなる表示部７５を設け、第２データ通信装置４には、人体２の個人固有データ７１を提示する機能を有してなるデータ記憶部８１と、個人固有データ７１を提示する機能を有してなる表示部７６を設けて構成する。
【００７６】
表示部７５及び表示部７６は、音声情報、視覚情報等にて個人固有データ７０及び個人固有データ７１の内容を提示する。
【００７７】
ここで、通信データ５は、個人固有データ７０及び個人固有データ７１であり、個人の名前や、連絡先や、メールアドレス等の名刺情報である。
【００７８】
かかるデータ通信システム及びデータ通信装置にあっては、人体１の個人固有データ７０及び人体２の個人固有データ７１を基に名刺情報を交換して表示部７５及び表示部７６に該名刺情報を提示するので、名刺を持ち歩く手間や名刺交換時に名刺を取り出す手間を省くことができる。
【００７９】
以下の第３実施形態乃至第５実施形態においては、データ通信装置を装着した個人同士の相性診断を行うような実施形態であり、第１実施形態との共通部分の説明は、簡略のため省略する。
【００８０】
本発明の第３実施形態を図１３に基づいて説明する。なお、図１３は、本発明の第４実施形態に係るデータ通信装置を示すブロック図である。
【００８１】
図１３（ａ）及び図１３（ｂ）に示すように、第１データ通信装置３には、人体１の個人固有データ７０を記憶する機能を有してなるデータ記憶部８０と、相性診断部８２及び相性診断提示部８４を設け、第２データ通信装置４には、人体２の個人固有データ７１を記憶する機能を有してなるデータ記憶部８１と、相性診断部８３及び相性診断提示部８５を設けてなる構成である。
【００８２】
相性診断部８２及び相性診断部８３は、個人固有データ７０及び個人固有データ７１に基づいて、人体１と人体２との相性を診断する機能を有してなる。
【００８３】
また、相性診断提示部８４及び相性診断提示部８５は、相性診断部８２及び相性診断部８３の診断結果をもとに相性度に応じて、言葉等の音声情報を提示する機能を有してなる。また、相性診断提示部８４及び相性診断提示部８５は、前述の音声情報の他に、ブザー音やチャイム音等の聴覚情報や、液晶ディスプレイやランプ光等を用いた視覚情報や、嗅覚情報や、低周波電流等を流すことで得られる刺激情報等を提示する機能を有していても勿論よい。
【００８４】
なお、通信データ５は、個人固有データ７０及び個人固有データ７１であり、生年月日や血液型等のデータである。
【００８５】
かかるデータ通信システム及びデータ通信装置にあっては、人体１の個人固有データ７０と人体２の個人固有データ７１とを相性診断部８２及び相性診断部８３にて相性診断を行い、その診断結果を相性診断提示部８４及び相性診断提示部８５で提示するので、人体１と人体２との接触によりスキンシップをはかるとともに相性診断を行うことができる。
【００８６】
本発明の第４実施形態を図１４に基づいて説明するが、第４実施形態は、第３実施形態のデータ通信装置において、人体１の生体情報である心拍を計測する心拍数計測部を設けたものであるので、第３実施形態との共通部分の説明は省略する。なお、図１４は、本発明の第５実施形態に係るデータ通信装置を示すブロック図である。
【００８７】
図１４（ａ）及び図１４（ｂ）に示すように、第１データ通信装置３には、人体１の心拍数を計測する機能を有してなる心拍数計測部８６を設け、第２データ通信装置４には、人体２の心拍数を計測する機能を有してなる心拍数計測部８７を設けてなる構成である。
【００８８】
人体１と人体２とが握手等をした場合に、心拍数計測部８６及び心拍数計測部８７で得られる心拍数を、個人固有データ７０と個人固有データ７１とともに相性診断部８２及び相性診断部８３にて診断して、相性診断提示部８４及び相性診断提示部８５に相性度を提示する。
【００８９】
かかるデータ通信システム及びデータ通信装置にあっては、相性診断部８２及び相性診断部８３での相性診断に、心拍数計測部８６及び心拍数計測部８７から得られる心拍数も加味するので、人体１と人体２との接触により緊張度合い等を考慮した相性診断を行うことができる。
【００９０】
本発明の第５実施形態を図１５に基づいて説明するが、第５実施形態は、第３実施形態のデータ通信装置において、人体の生体情報であるインピーダンスを計測するインピーダンス計測部を設けたものであるので、第４実施形態との共通部分の説明は省略する。なお、図１５は、本発明の第６実施形態に係るデータ通信装置を示すブロック図である。
【００９１】
図１５（ａ）及び図１５（ｂ）に示すように、第１データ通信装置３には、人体１表面の湿り具合により変化するインピーダンスを計測する機能を有してなるインピーダンス計測部８８を設け、第２データ通信装置４には、人体２表面の湿り具合により変化するインピーダンスを計測する機能を有してなるインピーダンス計測部８９を設けてなる構成である。
【００９２】
人体１と人体２とが握手等をした場合に、インピーダンス計測部８８及びインピーダンス計測部８９で得られるインピーダンスを、個人固有データ７０と個人固有データ７１とともに相性診断部８２及び相性診断部８３にて診断して、相性診断提示部８４及び相性診断提示部８５に相性度を提示する。
【００９３】
なお、インピーダンスは、発汗することで変化する特性があるので、人体の緊張度合いはかるのに利用するものである。
【００９４】
かかるデータ通信システム及びデータ通信装置にあっては、相性診断部８２及び相性診断部８３での相性診断に、インピーダンス計測部８８及びインピーダンス計測部８９から得られるインピーダンスも加味するので、人体１と人体２との接触により緊張度合い等を考慮した相性診断を行うことができる。
【００９５】
ここで、第１参考例乃至第４参考例、第１実施形態乃至第５実施形態においては、データ通信装置に、受信した通信データ５を記憶する機能を有してなるメモリー部（図示せず）を設けても勿論よい。
【００９６】
また、第３参考例及び第１実施形態乃至第５実施形態においては、第１データ通信装置３の基準電極３１及び第２データ通信装置４の基準電極４１は、各々、送信用に用いる送信基準電極（図示せず）と受信用に用いる受信基準電極（図示せず）の２つからなる場合であってもよい。
【００９７】
なお、本発明は上記の実施形態のデータ通信システム及びデータ通信装置に限定されるものではなく、特許請求の範囲の請求項に記載する内容の範囲で、各種の変形が可能であり、本発明はこれらの全てを含むものである。
【００９８】
【発明の効果】
上記のように本発明に係る請求項１に記載のデータ通信システムにあっては、基準電極と、送信電極及び変調部、受信電極及び復調部と、送受信を切替える機能を有してなる送受信切替部とを有して第１人体に装着する第１データ通信装置と、基準電極と、受信電極及び復調部、送信電極及び変調部と、送受信を切替える機能を有してなる送受信切替部とを有して第２人体に装着する第２データ通信装置とを備えてなり、前記第１データ通信装置及び前記第２データ通信装置には、ともに、前記第１人体と前記第２人体が接触したことを検知する機能を有してなる接触検知部と、発生させた乱数に応じて前記第１データ通信装置及び前記第２データ通信装置の前記送受信切替部の送受信を自動的に切替える機能を有してなる乱数発生部とを設けて、前記第１人体と前記第２人体が接触したことを前記接触検知部が検知すると、前記乱数発生部が前記乱数の値に応じて送受信を決めるようにしたもので、前記第１データ通信装置及び前記第２データ通信装置の前記接触検知部で前記第１人体及び前記第２人体が接触したことを検知し、前記乱数発生部で２つのデータ通信装置の送受信の組合せを決定することにより、前記第１人体が装着した前記第１データ通信装置と前記第２人体が装着した前記第２データ通信装置との間で双方向のデータ通信を自動的に開始することができるデータ通信システムを提供できるという効果を奏する。
【００９９】
【０１００】
【０１０１】
【０１０２】
また、請求項２記載のデータ通信システムにあっては、請求項１に記載の発明において、前記基準電極と、前記送信電極及び前記受信電極は、人体に接触しており、前記第１データ通信装置及び前記第２データ通信装置は、前記人体の手首又はその近傍に装着可能であって、前記基準電極を、前記人体の指先側に配置し、前記送信電極及び前記受信電極を、前記人体の指先側とは反対側に配置するようにしたもので、前記第１データ通信装置の送信電極と前記第２データ通信装置の受信電極の電極間距離が最短になるように電極配置され、データ通信に使用する伝送経路を最短にすることができるので、ノイズ等の影響を受けにくいデータ通信ができるという効果を奏する。
【０１０３】
また、請求項３記載のデータ通信システムにあっては、請求項１に記載の発明において、前記基準電極は、人体に接触しており、前記送信電極及び前記受信電極は、人体と接触しておらず、前記第１データ通信装置及び前記第２データ通信装置は、前記人体の手首又はその近傍に装着可能であって、一方の人体が装着したデータ通信装置の前記送信電極と、他方の人体が装着したデータ通信装置の前記受信電極とは、前記送信電極と前記受信電極との間を、遮蔽物を設けないように配置するようにしたもので、  該遮蔽物を設けないように電極配置にするので、データ通信の性能を向上させることができるという効果を奏する。また、前記一方の人体が装着したデータ通信装置の前記送信電極及び前記他方の人体が装着したデータ通信装置の前記受信電極は、人体と接触していないので、人体に接触する電極部分を少なくして、人体に違和感を極力与えないようなデータ通信装置を提供することができるという効果を奏する。
【０１０４】
また、請求項４記載のデータ通信システムにあっては、請求項１乃至請求項３のいずれかに記載の発明において、前記第１データ通信装置及び前記第２データ通信装置には、個人固有のデータを記憶するデータ記憶部を設けて、前記個人固有のデータを通信データとして用いるようにしたもので、前記個人固有のデータを前記第１人体及び前記第２人体の間でやりとりを行うので、セキュリティ性の高いデータ通信システムを提供することができるという効果を奏する。また、前記第１データ通信装置と前記第２データ通信装置との間で個人特有の情報を交換するので、個人特有の情報を反映した種々のデータ通信形態に適用可能なデータ通信システムを提供することができるという効果を奏する。
【０１０５】
また、請求項５記載のデータ通信システムにあっては、請求項４に記載の発明において、前記個人固有のデータは、人体に関する生体情報であるようにしたもので、前記生体情報を前記第１人体及び前記第２人体の間でやりとりを行うので、セキュリティ性の高いデータ通信システムを提供することができるという効果を奏する。
【０１０６】
また、請求項６記載のデータ通信システムにあっては、請求項４のいずれかに記載の発明において、前記個人固有のデータは、住所や連絡先等の名刺情報であるようにしたもので、前記個人固有データを基に、前記第１人体及び前記第２人体の間で名刺情報を交換するので、名刺を持ち歩く手間や名刺交換時に名刺を取り出す手間を省くことができるという効果を奏する。
【０１０７】
また、請求項７記載のデータ通信システムにあっては、請求項４乃至請求項６のいずれかに記載の発明において、前記第１データ通信装置及び前記第２データ通信装置には、各々のデータ通信装置の有する前記個人固有のデータに基づいて相性診断を行う相性診断部と、該相性診断部からの結果を提示する相性診断提示部を設けてなるようにしたもので、前記第１人体及び前記第２人体の前記個人固有データを用いて前記相性診断部にて相性診断を行うので、前記第１人体及び前記第２人体との接触によりスキンシップをはかるとともに相性診断を行うことができるという効果を奏する。
【０１０８】
また、請求項８記載のデータ通信システムにあっては、請求項７に記載の発明において、前記第１データ通信装置及び前記第２データ通信装置には、人体の心拍数を計測する心拍数計測部を設けてなり、前記相性診断部は、前記心拍数計測部での計測結果を考慮して相性診断を行うようにしたもので、前記相性診断部での相性診断に、前記心拍数計測部から得られる心拍数も加味するので、前記第１人体と前記第２人体との接触により緊張度合い等を考慮した相性診断を行うことができるという効果を奏する。また、心拍数を計測することで、固定のデータだけではなく、人体の現状に対応したデータも考慮できるため、多彩な相性診断を行うことができるという効果を奏する。
【０１０９】
また、請求項９記載のデータ通信システムにあっては、請求項７に記載の発明において、前記第１データ通信装置及び前記第２データ通信装置には、人体表面のインピーダンスを計測するインピーダンス計測部を設けてなり、前記相性診断部は、前記インピーダンス計測部での計測結果を考慮して相性診断を行うようにしたもので、前記相性診断部での相性診断に、前記インピーダンス計測部から得られるインピーダンスも加味するので、前記第１人体と前記第２人体との接触により緊張度合い等を考慮した相性診断を行うことができるという効果を奏する。また、インピーダンスを計測することで、固定のデータだけではなく、人体の現状に対応したデータも考慮できるため、多彩な相性診断を行うことができるという効果を奏する。
【０１１０】
また、請求項１０記載のデータ通信装置にあっては、少なくとも１つの基準電極と、受信電極と、送信電極と、復調部と、変調部と、送受信を切替える機能を有してなる送受信切替部と、人体が接触したことを検知する機能を有してなる接触検知部と、発生させた乱数に応じて送受信を自動的に切替える機能を有してなる乱数発生部とを備えて人体に装着し、人体が他の人体と接触したことを前記接触検知部が検知すると、前記乱数発生部が前記乱数の値に応じて送受信を決めるようにしたもので、送受信両方を行うことができる機能を有しているので、データ通信装置としての汎用性が向上するという効果を奏する。
【０１１１】
また、請求項１１記載のデータ通信装置にあっては、請求項１０に記載の発明において、前記基準電極と、前記送信電極及び前記受信電極は、前記人体に接触しており、前記人体の手首又はその近傍に装着可能であって、前記基準電極を、前記人体の指先側に配置し、前記送信電極及び前記受信電極を、前記人体の指先側とは反対側に配置するようにしたもので、２つのデータ通信装置を用いてデータ通信を行う場合には、一方のデータ通信装置の送信電極と、他方のデータ通信装置の受信電極との電極間距離が最短になるように電極配置され、データ通信に使用する伝送経路を最短にすることができるので、ノイズ等の影響を受けにくいデータ通信システムを実現可能なデータ通信装置を提供することができるという効果を奏する。
【図面の簡単な説明】
【図１】本発明の第１参考例に係るデータ通信システムを示す概略図である。
【図２】本発明の第１参考例に係るデータ通信装置を示すブロック図である。
【図３】本発明の第１参考例に係るデータ通信装置の電極配置を示す概略図である。
【図４】本発明の第２参考例に係るデータ通信装置の電極配置を示す概略図である。
【図５】本発明の第２参考例に係るデータ通信装置を示す概略図である。
【図６】本発明の第３参考例に係るデータ通信システムを示す概略図である。
【図７】本発明の第３参考例に係るデータ通信装置を示すブロック図である。
【図８】本発明の第３参考例に係るデータ通信装置を示す概略図である。
【図９】本発明の第３参考例に係るデータ通信装置を示すブロック図である。
【図１０】本発明の第１実施形態に係るデータ通信装置を示すブロック図である。
【図１１】本発明の第４参考例に係るデータ通信装置を示すブロック図である。
【図１２】本発明の第２実施形態に係るデータ通信装置を示すブロック図である。
【図１３】本発明の第３実施形態に係るデータ通信装置を示すブロック図である。
【図１４】本発明の第４実施形態に係るデータ通信装置を示すブロック図である。
【図１５】本発明の第５実施形態に係るデータ通信装置を示すブロック図である。
【符号の説明】
１、２  人体
３、４  データ通信装置
５  通信データ
３１、４１  基準電極
３２、４２  送信電極
３３、４３  変調部
３４、４４  受信電極
３５、４５  復調部
３６、４６  送受信切替部
３９、４９  乱数発生部
５６、５７  送受信切替ボタン
６０、６１  接触検知部
７０、７１  個人固有データ
８０、８１  データ記憶部
８２、８３  相性診断部
８４、８５  相性診断提示部
８６、８７  心拍数計測部
８８、８９  インピーダンス計測部
【図１】
0003743294.tif 000002
【図２】
0003743294.tif 000003
【図３】
0003743294.tif 000004
【図４】
0003743294.tif 000005
【図５】
0003743294.tif 000006
【図６】
0003743294.tif 000007
【図７】
0003743294.tif 000008
【図８】
0003743294.tif 000009
【図９】
0003743294.tif 000010
【図１０】
0003743294.tif 000011
【図１１】
0003743294.tif 000012
【図１２】
0003743294.tif 000013
【図１３】
0003743294.tif 000014
【図１４】
0003743294.tif 000015
【図１５】
0003743294.tif 000016